(57)【要約】【課題】タスクの実施に伴い発生した課題に対して、この課題によって発生したタスクを、既に定義されているタスクに迅速に反映することができ、これによって課題の発生に対しても常に正確な工程状況を認識することのできる工程管理システムを提供することを課題とする。【解決手段】工程表管理部１２は、制御部１１の制御の下に、課題処理部１５から受けた課題帳票をもとに、課題タスクを生成し、当該課題タスクを工程表データベース１３上で課題が発生したタスクに関連付けるサマリタスクの更新処理を行う。【選択図】      図１
2007241632.tif 000002
【特許請求の範囲】
【請求項１】
タスクを定義した工程表を管理する工程表管理手段と、
前記工程表管理手段により管理された工程表に定義されたタスクから発生した課題に対して当該課題を解決するための課題情報を設定する課題帳票を管理する課題帳票管理手段と、
前記課題帳票管理手段が管理する課題帳票をもとに課題タスクを生成し、当該課題タスクを前記工程表管理手段が管理する工程表上の前記課題が発生したタスクに関連付けて提示する課題タスク処理手段と
を具備したことを特徴とする工程管理システム。
【請求項２】
前記課題帳票管理手段が管理する課題帳票は、課題の発生から解決までの工程に於ける属性情報を一元的に管理する帳票であることを特徴とする請求項１記載の工程管理システム。
【請求項３】
前記属性情報には、少なくともプロジェクト番号、課題概要、発生工程、起草者、解決予定日、担当者の設定情報が含まれる請求項２記載の工程管理システム。
【請求項４】
前記工程表管理手段は、プロジェクト番号別のＷＢＳ構造と、ＷＢＳ構造内に置かれた工程別サマリタスクと、工程別サマリタスク下に置かれた課題格納用のサマリタスクとを階層化して管理することを特徴とする請求項３記載の工程管理システム。
【請求項５】
前記課題タスク処理手段は、前記課題帳票に設定されたプロジェクト番号から前記工程表管理手段が管理するＷＢＳ構造を特定し、当該ＷＢＳ構造内の前記課題帳票に設定された発生工程に該当するサマリタスクを特定する手段と、前記工程表の前記特定したサマリタスク内に最終タスクとして前記課題帳票の属性情報に従うサマリタスクを設け前記サマリタスク内に課題タスクを設ける手段と、前記各タスクをタスク相互の依存関係を明示して時間軸上に展開し表示する手段とを具備することを特徴とする請求項４記載の工程管理システム。
【請求項６】
工程表管理手段を具備するプロジェクト管理システムの課題タスク管理方法であって、
前記工程表管理手段が管理するタスクから発生した課題を解決するための情報を管理する課題帳票を作成し管理する課題帳票管理ステップと、
前記課題帳票管理ステップが管理する課題帳票の情報をもとに課題タスクを生成し、当該課題タスクを前記工程表管理手段が管理する工程表上の前記課題が発生したタスクに関連付けて提示する課題タスク処理ステップと
を具備したことを特徴とする課題タスク管理方法。
【請求項７】
前記課題タスク処理ステップは、
前記課題帳票に設定されたプロジェクト番号を示す情報から前記工程表管理手段が管理するＷＢＳ構造を特定するステップと、
前記特定したＷＢＳ構造内の前記課題帳票に設定された発生工程を示す情報に該当するサマリタスクを特定するステップと、
前記工程表の前記特定したサマリタスク内に最終タスクとして前記課題帳票の情報に従うサマリタスクを設け当該サマリタスク内に課題タスクを設けるステップと、
前記課題タスクを当該課題タスクに関係する他のタスクとの依存関係を明示して時間軸上に展開し表示するステップと
を含む請求項６記載の課題タスク管理方法。
【請求項８】
工程管理機能を実現するコンピュータに、
タスクを定義した工程表を管理する機能と、
前記工程表に定義されたタスクから発生した課題に対して当該課題を解決するための課題情報を設定した課題帳票を管理する課題帳票管理機能と、
前記課題帳票をもとに課題タスクを生成し、当該課題タスクを前記工程表上の前記課題が発生したタスクに関連付けて提示するタスク処理機能と
を実現させるためのプログラム。
【請求項９】
前記タスク処理機能は、
前記課題帳票に設定されたプロジェクト番号を示す情報から前記工程表で管理するＷＢＳ構造を特定し、特定したＷＢＳ構造内の前記課題帳票に設定された発生工程を示す情報に該当するサマリタスクを特定する機能と、
前記工程表の前記特定したサマリタスク内に最終タスクとして前記課題帳票の情報に従うサマリタスクを設け当該サマリタスク内に課題タスクを設ける機能と、
前記課題タスクを当該課題タスクに関係する他のタスクとの依存関係を明示して時間軸上に展開し表示する機能と
を含む請求項８記載のプログラム。
【発明の詳細な説明】
【技術分野】
【０００１】
本発明は、一連の作業工程を工程別タスクを単位に管理する工程管理システム、課題タスク管理方法およびプログラムに関する。
【背景技術】
【０００２】
従来、一連の作業工程を工程別タスクを単位に管理するシステムとして、プロジェクトの進捗率を算出することによってプロジェクト管理者を支援するシステムが開発されている。
【特許文献１】特開２００４−２１３４４７号公報
【発明の開示】
【発明が解決しようとする課題】
【０００３】
この種システムに於いて、管理対象にあるタスクに「課題」が発生した場合、従来では、この「課題」を上記システムとは別に管理していた。以下の説明において、作業工程毎に行わなくてはならない作業単位を「タスク」と定義する。このように従来では、タスク情報（ＷＢＳ；Work breakdown structure）の管理と、タスク内で発生した課題とをそれぞれ別々に管理していたことから、タスクの実施に伴い課題が発生した際に、この課題によって発生したタスクを、既にＷＢＳとして定義されているタスクに迅速に反映することができず、複数のメンバである作業全体を実施するような場合においては課題の発生に対して当該作業の取り纏め担当の者が正確な工程状況を認識することができないという問題があった。
【０００４】
本発明は上記実情に鑑みなされたもので、タスクの実施に伴い発生した課題に対して、この課題によって発生したタスクを、既に定義されているタスクに迅速に反映することができ、これによって課題の発生に対しても常に正確な工程状況を認識することのできる工程管理システム、課題タスク管理方法およびプログラムを提供することを目的とする。
【課題を解決するための手段】
【０００５】
本発明は、タスクを定義した工程表を管理する工程表管理手段と、前記工程表管理手段により管理された工程表に定義されたタスクから発生した課題に対して当該課題を解決するための課題情報を設定する課題帳票を管理する課題帳票管理手段と、前記課題帳票管理手段が管理する課題帳票をもとに課題タスクを生成し、当該課題タスクを前記工程表管理手段が管理する工程表上の前記課題が発生したタスクに関連付けて提示する課題タスク処理手段とを具備した工程管理システムを特徴とする。
【０００６】
さらに本発明は、前記工程管理システムに於いて、前記課題帳票管理手段が管理する課題帳票は、課題の発生から解決までの工程に於ける属性情報を一元的に管理する帳票であることを特徴とする。
【０００７】
さらに本発明は、前記工程管理システムに於いて、前記属性情報には、少なくともプロジェクト番号、課題概要、発生工程、起草者、解決予定日、担当者の設定情報が含まれることを特徴とする。
【０００８】
さらに本発明は、前記工程管理システムに於いて、前記工程表管理手段は、プロジェクト番号別のＷＢＳ構造と、ＷＢＳ構造内に置かれた工程別サマリタスクと、工程別サマリタスク下に置かれた課題格納用のサマリタスクとを階層化して管理することを特徴とする。
【０００９】
さらに本発明は、前記工程管理システムに於いて、前記課題タスク処理手段は、前記課題帳票に設定されたプロジェクト番号から前記工程表管理手段が管理するＷＢＳ構造を特定し、当該ＷＢＳ構造内の前記課題帳票に設定された発生工程に該当するサマリタスクを特定する手段と、前記工程表の前記特定したサマリタスク内に最終タスクとして前記課題帳票の属性情報に従うサマリタスクを設け前記サマリタスク内に課題タスクを設ける手段と、前記各タスクをタスク相互の依存関係を明示して時間軸上に展開し表示する手段とを具備することを特徴とする。
【００１０】
また本発明は、工程表管理手段を具備するプロジェクト管理システムの課題タスク管理方法であって、前記工程表管理手段が管理するタスクから発生した課題を解決するための情報を管理する課題帳票を作成し管理する課題帳票管理ステップと、前記課題帳票管理ステップが管理する課題帳票の情報をもとに課題タスクを生成し、当該課題タスクを前記工程表管理手段が管理する工程表上の前記課題が発生したタスクに関連付けて提示する課題タスク処理ステップとを具備したことを特徴とする。
【００１１】
さらに前記課題タスク管理方法に於いて、前記課題タスク処理ステップは、前記課題帳票に設定されたプロジェクト番号を示す情報から前記工程表管理手段が管理するＷＢＳ構造を特定するステップと、前記特定したＷＢＳ構造内の前記課題帳票に設定された発生工程を示す情報に該当するサマリタスクを特定するステップと、前記工程表の前記特定したサマリタスク内に最終タスクとして前記課題帳票の情報に従うサマリタスクを設け当該サマリタスク内に課題タスクを設けるステップと、前記課題タスクを当該課題タスクに関係する他のタスクとの依存関係を明示して時間軸上に展開し表示するステップとを含むことを特徴とする。
【００１２】
また本発明は、工程管理機能を実現するコンピュータに、タスクを定義した工程表を管理する機能と、前記工程表に定義されたタスクから発生した課題に対して当該課題を解決するための課題情報を設定した課題帳票を管理する課題帳票管理機能と、前記課題帳票をもとに課題タスクを生成し、当該課題タスクを前記工程表上の前記課題が発生したタスクに関連付けて提示するタスク処理機能とを実現させるためのプログラムを特徴とする。
【００１３】
さらにプログラムに於いて、前記タスク処理機能は、前記課題帳票に設定されたプロジェクト番号を示す情報から前記工程表で管理するＷＢＳ構造を特定し、特定したＷＢＳ構造内の前記課題帳票に設定された発生工程を示す情報に該当するサマリタスクを特定する機能と、前記工程表の前記特定したサマリタスク内に最終タスクとして前記課題帳票の情報に従うサマリタスクを設け当該サマリタスク内に課題タスクを設ける機能と、前記課題タスクを当該課題タスクに関係する他のタスクとの依存関係を明示して時間軸上に展開し表示する機能とを含むことを特徴とする。
【発明の効果】
【００１４】
タスクの実施に伴い発生した課題に対して、この課題によって発生したタスクを、既に定義されているタスクに迅速に反映することができ、これによって課題の発生に対し常に正確な工程状況を認識することのできるシステムを実現できる。
【発明を実施するための最良の形態】
【００１５】
本発明は、工程表に定義されたタスク上で課題が発生した際に、この課題に対して発生する作業を、工程表上に於けるＷＢＳのタスクの一部として管理し作業者に提示することにより、課題に関連する状況を工程表上に即時に反映できないという課題を解決して、プロジェクトに関わる全ての作業を作業者が正しく認識できる工程管理機能を実現している。
【００１６】
以下図面を参照して本発明の実施形態を説明する。
【００１７】
本発明の実施形態に係る工程管理システムを適用したシステム（プロジェクト管理システムと称す）の構成を図１に示している。
【００１８】
図１に示すプロジェクト管理システムは、工程管理システム１０と、作業者端末２０と、通信網３０とにより構築される。
【００１９】
工程管理システム１０は、タスクを定義した工程表を管理する工程表管理手段と、この工程表管理手段により管理された工程表に定義されたタスクから発生した課題に対して当該課題を解決するための課題情報を設定する課題帳票を管理する課題帳票管理手段と、この課題帳票管理手段が管理する課題帳票をもとに課題タスクを生成し、当該課題タスクを上記工程表管理手段が管理する工程表上の上記課題が発生したタスクに関連付けて提示する課題タスク処理手段とを具備する。なお、この実施形態では、課題帳票について、入力項目（入力フィールド）に属性情報を設定していない（但しデフォルト値の設定を除く）未設定の状態にある課題帳票（帳票フォーマット）と、入力項目に属性情報を設定した課題帳票とを特に区別せず、単に課題帳票と称している。この課題帳票の帳票フォーマット例については図２乃至図５を参照して後述する。
【００２０】
作業者端末２０は、上記工程管理システム１０が管理する工程に携わる作業者が操作する端末であり、工程管理システム１０が管理する工程表の内容を表示する工程表の表示処理機能を有する。さらに作業者端末２０は、上記工程管理システム１０が管理する工程表に定義されたタスク上で課題が発生した際に、工程管理システム１０から課題帳票を取得し、取得した課題帳票の入力項目（入力フィールド）に、上記工程表に定義されたタスクから発生した課題に対して当該課題を解決するための課題情報（属性情報）を入力設定して、当該設定情報を通信網３０を介し工程管理システム１０に送出する課題帳票の作成並びに送出処理機能を有する。
【００２１】
通信網３０は、工程管理システム１０と作業者端末２０とをつなぐ通信ネットワークを構成するもので、例えば上記工程管理システム１０と複数の作業者端末２０との間をネットワーク接続する社内ＬＡＮ、構内ＬＡＮ、ＷＡＮ等であってよい。
【００２２】
工程管理システム１０は、制御部１１と、工程表管理部１２と、工程表データベース１３と、課題処理部１５と、課題データベース１６とを有して構成される。
【００２３】
制御部１１は、工程管理システム１０の全体の制御を司るもので、工程表管理部１２と課題処理部１５とを制御の対象として、工程表の管理機能と、課題帳票の管理機能と、課題帳票に基づく課題タスクを工程表に既に設定されているタスクに反映させる制御とを司る。さらに制御部１１は通信網３０を介して作業者端末２０との間でデータを送受する通信制御を司る。この実施形態では、作業者端末２０からの工程表取得要求に応じて、工程表管理部１２が工程表データベース１３上で管理する工程表を要求元の作業者端末２０に提供する通信制御を行う。また作業者端末２０からの課題帳票取得要求に応じて、未設定状態の課題帳票を要求元の作業者端末２０に提供し、当該作業者端末２０から属性情報を設定した課題帳票を受け付けて課題処理部１５に受け渡す制御を行う。
【００２４】
工程表管理部１２は、制御部１１の制御の下に、工程表データベース１３上で工程表を作成し管理するとともに、工程表の変更、更新処理を行う。この実施形態では、制御部１１の制御の下に、課題処理部１５から受けた課題帳票をもとに課題タスクを生成し、当該課題タスクを工程表データベース１３上で上記課題が発生したタスクに関連付けるサマリタスクの更新処理を行う。さらにこの更新後の工程表を課題帳票送出元の作業者端末２０に送出するべく制御部１１に渡す処理を行う。この際の課題帳票をもとに課題タスクを生成し、生成した課題タスクをサマリタスクに設ける処理については図３および図４と図７を参照して後述する。
【００２５】
工程表データベース１３は、工程表管理部１２の制御の下に、プロジェクト番号別のＷＢＳ構造と、ＷＢＳ構造内に置かれた工程別サマリタスクと、工程別サマリタスク下に置かれた課題格納用のサマリタスクとを階層別に管理する（図２乃至図４参照）。
【００２６】
課題処理部１５は、制御部１１の制御の下に、作業者端末２０から受けた課題帳票を課題データベース１６上で管理する。この実施形態では、制御部１１の制御の下に、作業者端末２０から受けた課題帳票を工程表管理部１２に送出するとともに課題データベース１６に登録し管理する。
【００２７】
課題データベース１６は、課題処理部１５の制御の下に、図２に概要を示し図５に詳細を示す、複数の入力項目（入力フィールド）をもつ課題帳票を、プロジェクト番号、ＷＢＳパス、タスク名等をキーに管理する。
【００２８】
作業者端末２０は、制御部２１と、工程表入力処理部２２と、工程表表示処理部２３と、課題入力処理部２５と、課題表示処理部２６と、図示しない操作入力部および表示部を有して構成される。
【００２９】
制御部２１は、作業者端末２０の全体の制御を司るもので、工程表入力処理部２２、工程表表示処理部２３、課題入力処理部２５、課題表示処理部２６等を制御の対象とする。この実施形態では、工程管理システム１０に課題帳票の取得要求、工程表の取得要求等を行って工程管理システム１０から課題帳票、工程表等を取得し、取得した課題帳票を課題表示処理部２６に送出し、工程表を工程表表示処理部２３に送出して表示部に表示する制御を行う。
【００３０】
工程表入力処理部２２は、作業者の入力情報をもとに工程表の作成、変更等の処理を行う。工程表表示処理部２３は、工程管理システム１０から取得した工程表、若しくは工程表入力処理部２２で入力処理した工程表を表示部に表示する処理を行う。
【００３１】
課題入力処理部２５は、工程管理システム１０から取得した課題帳票の各入力項目に対する入力処理（帳票作成処理）を行う。この入力処理では所定の入力項目に対してデフォルト値を設定する処理を含む。課題表示処理部２６は課題入力処理部２５が入力処理した課題帳票を表示部に表示する処理を行う。
【００３２】
図２乃至図７はそれぞれ上記図１に示すシステム上での課題処理動作を説明するための図である。このうち、図２乃至図４は本発明の実施形態に於ける動作を説明するためのもので、図２は課題帳票とＷＢＳとの相互関係を示す図、図３は課題の起草時に於けるＷＢＳを時間軸（日程）上に展開して示す図、図４は課題と次工程の依存関係を示す図である。この実施形態では図３および図４をそれぞれ工程表の表示画面とする。
【００３３】
図５は本発明の実施形態で扱う課題帳票（課題登録画面）の具体的な構成例を示す図である。この図５に示す課題帳票は、「プロジェクト番号」、「ＷＢＳパス」、「タスク名」、「タスク開始日」、「タスク完了日」、「タスク実施者」、「起案者（起草者）」、「起案日」、「完了日」、「発生工程」、「担当者」、「内容」、「経緯」、「検討結果」、「履歴」等の入力（設定）項目を有する。「プロジェクト番号」、「ＷＢＳパス」、「起案者（起草者）」、「起案日」、「完了日」等は自動設定される。「経緯」、「検討結果」、「実施結果」が登録される度にその登録日、登録者、種別が「履歴」に記録される。
【００３４】
図６は本発明の実施形態に於ける課題発生から、発生した課題が工程表に反映されるまでの処理の手順を示すフローチャートであり、図７は課題の発生に伴う課題タスクの作成処理手順を示すフローチャートである。
【００３５】
ここで上記各図を参照して本発明の実施形態に於ける動作を説明する。  
図２に於いて、「課題帳票１」（ＴＳ）は、課題の発生から解決までのライフサイクル上で管理する属性情報を一元的に管理する帳票である。管理する属性には、「課題内容」、「分析」、「解決手段」などがある。「工程表１」は、特定のプロジェクトにおけるＷＢＳを示したものである。「ＡＢＢ課題」、「ＡＢＢＡ分析」、「ＡＢＢＢ解決」は、それぞれ「課題帳票１」と対応するタスクである。対応関係は、「ＡＢＢ課題」＝「課題帳票１」全体、「ＡＢＢＡ分析」＝「５．分析」、「ＡＢＢＡ解決」＝「６．解決手段」となる。「ＡＢＢ課題」は「タスクＡＢ」に生じた課題に対して生成された課題タスク（Ｔａ）であり、「ＡＢＢＡ分析」、「ＡＢＢＡ解決」はこの課題タスク（Ｔａ）に最終タスクとして設けられた詳細タスク（Ｔｂ，Ｔｃ）である。
【００３６】
工程管理システム１０に於いて、工程表データベース１３に格納された工程表の或る特定のタスクに課題が発生したとき、この課題の発生に対して、課題処理部１５が課題帳票を作成し（図６ステップＳ１）、作成した課題帳票を課題データベース１６に登録する（図６ステップＳ２）。さらに作成した課題帳票をもとに工程表管理部１２が工程表データベース１３上で課題タスクを作成し（図６ステップＳ３）、作成した課題タスクを課題データベース１６に登録する（図６ステップＳ４）。
【００３７】
課題帳票の作成処理（図６ステップＳ１）では「属性１：プロジェクト番号」、「属性２：課題概要」、「属性３：発生工程（未選択の場合は現在進行中の発生工程を設定）」、「属性４：起草者」、「属性５：解決予定日（未記載の場合はＮ日後等の初期設定）」、「属性６：担当予定者（未記載の場合はプロジェクトリーダ）」をそれぞれ登録する。この登録処理は、作業者端末２０の課題入力処理部２５で入力処理した課題帳票を工程管理システム１０の課題処理部１５が課題データベース１６に登録することによって行われる。
【００３８】
例えば図２に示す「工程表１」の「タスクＡＢ」に於いて、課題が発生したとき、この課題に対して、「課題帳票１」を作成し、この「課題帳票１」をもとに「タスクＡＢ」の課題に対応する課題タスク「ＡＢＢ課題」を作成し、「工程表１」の該当するサマリタスクに付加する。
【００３９】
課題帳票をもとに課題タスクを作成する処理（図６ステップＳ３）は、工程表管理部１２が課題処理部１５から受けた課題帳票をもとに行う。
【００４０】
この処理は、「課題帳票１」の「属性１：プロジェクト番号」から、ＷＢＳ構造全体を特定し（図７ステップＳ３１）、「属性３：発生工程」からＷＢＳ内の該当するサマリタスク「発生工程Ａ（図２参照）」を決定し（図７ステップＳ３２）、当該サマリタスク「発生工程Ａ」内のサマリタスク「課題（図２参照）」を特定する（図７ステップＳ３３）。
【００４１】
このサマリタスク「課題」（課題の発生したサマリタスク）内の最終タスクとして、「課題帳票１」に対応するサマリタスクを作成する（図７ステップＳ３４）。サマリタスク名は「属性２：課題概要」の値「課題概要Ａ（図２参照）」を設定する。
【００４２】
サマリタスク「課題概要Ａ」の担当者と振分担当者を設定する（図７ステップＳ３５，Ｓ３６）。例えば、「課題概要Ａ」の担当者をあらかじめ設定した振分担当者「リーダＡ（図２参照）」とする。サマリタスク「課題概要Ａ」の「開始予定日（開始日）」は「本日」、「終了予定日（終了日）」は「解決予定日（解決日）」とする（図７ステップＳ３７）。
【００４３】
サマリタスク「課題概要Ａ」内に、「分析」、「回答」などの課題を解決するための詳細タスク「分析」、「回答」を展開する（図７ステップＳ３８）。「分析」、「回答」の各タスクは依存関係が存在し、サマリタスク「課題概要Ａ」の完了予定日（完了日）に終了するように、依存関係をもとに日程計画を展開する。この展開状態を図３に示している。
【００４４】
上記「課題帳票１」に関連するタスク「課題概要Ａ」と、「工程表１」上に既に展開している他のタスクとの依存関係を設定する例を図４に示している。ここでは、「課題帳票１」の課題が解決しないと、「次工程Ｂ」が実施できない依存関係を設定している。この設定は「課題帳票１」の登録または分析時に、チェックポイントとする工程Ｂおよび依存関係の種類（ＦＳ，ＦＦ，ＳＳ，ＳＦから指定）を指定することにより決まり、例えば課題展開時に、「課題帳票１」と次工程Ｂの間に依存関係を設定する。ＦＳ（finish to start）の場合は、「課題帳票１」に対する工程が完了する以前に、次工程を開始しようとすると、警告が表示され、次工程を開始することができない制御を実施する。
【００４５】
上記したように、工程表で管理しているタスクに課題が発生した際、その課題に対して発生する作業をＷＢＳのタスクの一部として管理することにより、課題に関連する状況を工程表上に即時に反映することができ、プロジェクトに関わる全ての作業を容易に把握することができる。さらに、これに伴い、課題以外から発生したタスクと連携した依存関係の管理が容易に実施できる。また課題以外から発生したタスクと連携した要員負荷状況の管理が容易に実施できる。
【図面の簡単な説明】
【００４６】
【図１】本発明の実施形態に係る工程管理システム１０の構成を示すブロック図。
【図２】上記実施形態に係る課題帳票とＷＢＳとの相互関係を示す図。
【図３】上記実施形態に係る課題起草時に於けるＷＢＳを日程上に展開して示す図。
【図４】上記実施形態に係る課題と次工程の依存関係を示す図。
【図５】上記実施形態に係る課題帳票の具体的な構成例を示す図。
【図６】上記実施形態に於ける課題発生から発生した課題が工程表に反映されるまでの処理の手順を示すフローチャート。
【図７】上記実施形態に係る課題の発生に伴う課題タスクの作成処理手順を示すフローチャート。
【符号の説明】
【００４７】
ＴＣ…課題帳票、Ｔａ…課題タスク、Ｔｂ，Ｔｃ…詳細タスク、１０…工程管理システム、１１…制御部、１２…工程表管理部、１３…工程表データベース、１５…課題処理部、１６…課題データベース、２０…作業者端末、２１…制御部、２２…工程表入力処理部、２３…工程表表示処理部、２５…課題入力処理部、２６…課題表示処理部、３０…通信網（ＬＡＮ）。
【図１】
2007241632.tif 000003
【図２】
2007241632.tif 000004
【図３】
2007241632.tif 000005
【図４】
2007241632.tif 000006
【図５】
2007241632.tif 000007
【図６】
2007241632.tif 000008
【図７】
2007241632.tif 000009